(57)【要約】【課題】本発明は、換気グリルを装着する貫通穴が必要以上に大きく開口されている場合でも簡単に当該箇所に取り付けることのできるフィルター付き換気グリルを提供することを目的とするものである。【解決手段】上記課題を解決するため、グリル本体、該グリル本体に着脱自在に装着されるフィルタ−、該グリル本体の前面を被覆する連通部付グリル化粧カバー及び該グリル本体を天井面や壁面の開口部に固定し、且つ該開口部とグリル本体との隙間を目隠しプレートにより隠蔽したフィルター付き換気グリルを特徴とするものである。【選択図】図３
2005226949.tif 000002
【特許請求の範囲】
【請求項１】
グリル本体、該グリル本体に着脱自在に装着されるフィルター、該グリル本体の前面を被覆するグリル化粧カバー及び該グリル本体を天井面や壁面の開口部に固定し、且つ該開口部とグリル本体との隙間を隠蔽する目隠しプレートとを構成したことを特徴とするフィルター付き換気グリル。  
【請求項２】
グリル本体及びフィルターを筒状に形成したことを特徴とする請求項１に記載のフィルター付き換気グリル。  
【請求項３】
フィルターの外周面に、グリル本体内周面上方に形成した係止部に係止される可撓性を有する突起部を形成したことを特徴とする請求項１又は請求項２に記載のフィルター付き換気グリル。
【請求項４】
目隠しプレートの色彩は、換気グリルとほぼ同一としたことを特徴とする請求項１〜３の何れか１に記載のフィルター付き換気グリル。  
【発明の詳細な説明】
【技術分野】
【０００１】
この発明は、フィルターが簡単に着脱できる換気グリルにおいて、該換気グリルを装着する貫通穴が必要以上に大きく開口されている既存の取付穴のような場合でも簡単に当該箇所に取り付けることのできるフィルター付き換気グリルに関するものである。
【背景技術】
【０００２】
戸建住宅或いはマンション等の集合住宅の室内の換気を行なうに際し、換気グリルが使用されている。
該換気グリルは、天井面や壁面等を貫通させて開口し、該換気グリルの外形寸法に合った枠部材を該開口部に取り付け、該枠部材に装着している。
【特許文献１】特開平１１−３３７１４１号公報
【発明の開示】
【発明が解決しようとする課題】
【０００３】
上記換気グリルは、吸込口として空気が移動することになるので、室内外のゴミ等が羽根や中コーンに付着し、定期的に清掃する必要があった。そのため近年、簡単に着脱できるフィルターを内臓させたフィルター付き換気グリルの設置が求められている。
【０００４】
該フィルター付き換気グリルは、新築或いは既存の建物に使用することができるが、該フィルター付き換気グリルの外形寸法は小型化が進んでおり、筒状のものにあってはその外径が１００ｍｍφの取付穴に対応するものとなっている。  
【０００５】
ところが、新築の場合にあっては、該フィルター付き換気グリルの外形に対応する大きさの取付穴を形成すれば良いが、既存のものを交換するに際しては、既存の取付穴に取着する必要がある。しかし、その大きさが合わないことがほとんどである。通常、例えば、筒状の古いタイプの換気グリルの取付穴は１５０ｍｍφのものが多い。
【０００６】
上記したように、従来の換気グリルは着脱自在のフィルター付のものではなく、その掃除が大変であり、フィルター付換気グリルへの交換の要望が極めて大きい。
しかし、既存の取付穴が大きいため、小さな外形寸法の換気グリルへ交換するためには別途穴を小さくするための枠材を形成し、その枠材にフィルター付き換気グリルを装着する必要があった。ところが、既存の取付穴は、その穴の大きさが必ずしも正確に形成されておらず、その都度、現物において当該穴の大きさを確認して枠材を製造する必要があった。
【課題を解決するための手段】
【０００７】
本発明は、上記課題を解決したもので、グリル本体、該グリル本体に着脱自在に装着されるフィルタ−、該グリル本体の前面を被覆する連通部付グリル化粧カバー及び該グリル本体を天井面や壁面の開口部に固定し、且つ該開口部とグリル本体との隙間を隠蔽する目隠しプレートとを構成したフィルター付き換気グリルを特徴とする。  
【０００８】
また、グリル本体及びフィルターを筒状に形成したフィルター付き換気グリルを特徴とする。  
【０００９】
更に、フィルターの外周面に可撓性を有する突起部を形成し、該突起部を、グリル本体内周面上方の係止部に係止したフィルター付き換気グリルを特徴とする。
【００１０】
また、目隠しプレートの色彩は、換気グリル本体とほぼ同一としたフィルター付き換気グリルを特徴とする。  
【発明の効果】
【００１１】
本発明のフィルター付き換気グリルは、新築時或いは既存の建物の天井面や壁面に取着するに際し、該天井面や壁面を貫通形成した開口部が、当該箇所に挿入されるグリル本体の外形寸法より大きく形成されている場合においても、両者間に生じる隙間を目隠しプレートによって塞ぎながら当該換気グリルを装着することが可能となった。その際、隙間に大小があっても、その隙間の違いを許容することが可能となった。
【００１２】
また、該目隠しプレートは、天井面や壁面等に簡単に装着できると同時に、その内側空間は該グリル本体の外形寸法と合致するように形成しているので、該グリル本体が容易に所定箇所に装着固定することができ、支持機能としても有効なものとなった。
【００１３】
更に、フィルターは、その外周面に設けた弾性を備えた突起部をグリル本体に係止して着脱自在に形成されているので、単に引き抜くことによりフィルターを取り外すことができるので、フィルターの汚れの除去が容易に行なえることとなった。
【００１４】
また、該目隠しプレートを換気グリルの色彩とほぼ同一としておくことにより、該目隠しプレートが目立つことがない状態で、換気グリルを装着することが可能となった。
【発明を実施するための最良の形態】
【００１５】
以下に、本発明のフィルター付き換気グリルを実施例に添って説明する。
【実施例１】
【００１６】
図１は、本発明のフィルター付き換気グリル１を、ユニットバスＵＢの天井面Ａに装着した実施例を示す斜視図である。
ユニットバスＵＢには、浴槽、混合水栓金具、鏡、シャワー、照明器具等が設置され、ユニットバス内の空気を吸い込むフィルター付き換気グリル１の上方に、ダクト１ａが取り付けられている。
【００１７】
図２は、フィルター付き換気グリル１を分解した概略斜視図である。  
フィルター付き換気グリル１は、ドーナツ状の目隠しプレート５、鍔部を設けた筒状体からなるグリル本体２、鍔部を設けた筒状体の一端縁に網を取り付けたフィルター３、及びグリル化粧カバー４から形成され、ユニットバスＵＢの天井面Ａに設けた取付穴に、目隠しプレート５の裏側に取り付けた係止板により、目隠しプレート５が天井面Ａに固定される。
【００１８】
次に、目隠しプレート５の穴へグリル本体２の筒状体を挿入し、該筒状体に設けた鍔部を目隠しプレート５にタッピングネジ等で固定することにより、目隠しプレート５にグリル本体２が固定される。
【００１９】
次いで、グリル本体２の内周面に沿ってフィルター３を挿入し、グリル本体２の内周面に設けた突起部と、フィルター３の外周面に設けた突起部３１を係合することにより、グリル本体内の上方にフィルター３が固定される。
【００２０】
更に、グリル本体２の内周面に沿ってグリル化粧カバー４の一部を挿入し、グリル本体２の内側面に設けた突起部と、グリル化粧カバー４の外周面に設けた突起部を係合することにより、グリル本体内に固定されたフィルター下方にグリル化粧カバー４が固定される。
以上ユニットバスＵＢの天井面Ａに取り付けるフィルター付き換気グリル１について概略説明したが、以下具体的に説明する。  
【００２１】
図３および図４は、本発明のフィルター付き換気グリル１の断面図及び正面図を示している。図３は、大きな寸法の開口部に対応するもので、図４は、フィルター付き換気グリル１の外形寸法と開口部の大きさとが一致する場合を示している。
【００２２】
図３に示すフィルター付き換気グリル１について説明すると、該フィルター付き換気グリル１は、グリル本体２、該グリル本体２に着脱自在に装着したフィルター３、該グリル本体２の前面を被覆するグリル化粧カバー４及び該グリル本体２を天井面の開口部に固定し、且つ該開口部とグリル本体２との隙間を隠蔽する目隠しプレート５とより構成している。
【００２３】
本実施例のグリル本体２は、筒状体より形成し（以下筒状体のものに添って説明する。）、その下面側にはネジ孔を設けた鍔部６を設け、該鍔部６を目隠しプレート５にタッピングネジ等の固定手段７により固定する。
【００２４】
フィルター３は、筒状体の外周面に形成した可撓性を有する突起部３１を、グリル本体２の内周面上方に形成した係止部８に係止することにより、グリル本体２に着脱自在に取着することができる。
図３に示すように、フィルター３を形成する筒状体の下面側には、グリル本体の内側下方に設けた係止部２１を避けるため間欠状に鍔部９を形成し、筒状体の上面内側に網状体１０を設けている。該網状体１０は、適宜メッシュのものを使用する。例えば、１６メッシュ等のものである。
【００２５】
上記したように、フィルターの外周面に可撓性を有する突起部３１を形成したフィルター３をグリル本体２の下方から上方へ挿入し、該突起部３１を、グリル本体２の内周面に形成した係止部８に係止することによりフィルター３を固定しているが、間欠状の突起部を外周面に形成したフィルタ−３をグリル本体２に挿入し、該グリル本体２に形成した係止部に該突起部を係止することにより、グリル本体内にフィルター３を固定することができる。フィルターの掃除や取り換え等は、係止状態を解除することにより簡単に取り外すことができる。
【００２６】
図３に示すように、グリル化粧カバー４は、該グリル本体２の下面側に装着される格子型円盤状のもので、鍔部６を含めたグリル本体２の前面側全体を被覆する。グリル化粧カバー４は、外周面上面部に形成した間欠状の鍔部を、グリル本体内周面の中程に形成した突起部２１に係止することにより、グリル本体２に固定される。
【００２７】
目隠しプレート５は、図３及び図６に示すように、ドーナツ状の盤体で、その外周部を既存の天井面Ａの開口部の縁部Ｂを隠蔽するようにして該天井面Ａに取着する。
【００２８】
図６（ｂ）は、該目隠しプレート５の裏面側平面図を示しているが、該裏面側の適所数箇所に係止体１１を突設形成する。本実施例では３箇所に形成している。該係止体１１には予め固定手段７のための孔１２を形成しておくことができる。
【００２９】
また、併設して係止回動板１３の軸１４を構成する孔をその外側に形成する。該軸１４を中心として係止回動板１３を回動させることにより、該目隠しプレート５の外周部よりその一部が突出し、図３及び図６（ｂ）に示すように天井面Ａの裏面側縁部Ｂにまたがり、目隠しプレート５の前面側とで該側縁部Ｂを挟持して該目隠しプレート５を取着することになる。従って、開口部とグリル本体２の間に生じる隙間に大小を有しても当該隙間を隠蔽することが可能となる。
【００３０】
上記目隠しプレート５は、大きな寸法で開口された穴とグリル本体２との隙間を塞ぐと同時に、上記したように該グリル本体２を取着する役割をする。
【００３１】
図４に示すフィルター付き換気グリルは、上記実施例の目隠しプレートが無い状態のものを示しており、天井面や壁面に形成した開口部が、グリル本体の外形と一致している場合には、このように対応することが可能である。
【００３２】
上記実施例において、目隠しプレートはフィルター付き換気グリルの取着に際し、その周辺部に位置することになり、それらの色彩が目立つと取着部分が大きく可視されることになる。従って、当該状態を防止するために、グリル化粧カバー４と同色の部品とし、その存在を意識させなくすることができる。
【図面の簡単な説明】
【００３３】
【図１】本発明のフィルター付き換気グリルをユニットバスの天井面に装着した斜視図である。
【図２】本発明のフィルター付き換気グリルを分解した概略斜視図である。
【図３】ａ）本発明のフィルター付き換気グリルの実施例の断面図である。                ｂ）本発明のフィルター付き換気グリルの実施例の平面図である。
【図４】ａ）本発明のフィルター付き換気グリルの他の実施例の断面図である。            ｂ）本発明のフィルター付き換気グリルの他の実施例の平面図である。
【図５】ａ）本発明のフィルター部の断面図である。                                    ｂ）本発明のフィルター部の平面図である。
【図６】ａ）本発明の目隠しプレートの断面図である。                                  ｂ）本発明の目隠しプレートの裏面側平面図である。
【符号の説明】
【００３４】
１．フィルター付き換気グリル    
２．グリル本体
３．フィルター    
４．グリル化粧カバー    
５．目隠しプレート    
６．鍔部    
７．固定手段    
８．係止部    
９．鍔部    
１０．網状体    
１１．係止体    
１２．孔
１３．係止回動板
１４．軸
Ａ．天井
【図１】
2005226949.tif 000003
【図２】
2005226949.tif 000004
【図３】
2005226949.tif 000005
【図４】
2005226949.tif 000006
【図５】
2005226949.tif 000007
【図６】
2005226949.tif 000008